(57)【要約】【課題】一人で植え付けや収穫作業ができると共に、まっすぐに生長し、梱包が容易であると共に、粘り気があり味の良い自然薯を生産できる自然薯栽培用ガイド鞘を提供するものである。【解決手段】半割パイプ１１の長手方向に沿った両縁部に、断面が円弧状をなす鍔部１２を設けて鞘本体部１３を形成し、この鞘本体部１３の一端をスプーン状に広げて、種芋３の植付部４を形成し、植付時の用土６は上部が開口した鞘本体部１３から詰め込み、収穫時はそのまま自然薯９を掘り起こせ、一人でも植付と収穫作業を行なうことができる。【選択図】  図１
0003126649.tif 000002
【実用新案登録請求の範囲】
【請求項１】
半割パイプの長手方向に沿った両縁部に、断面が円弧状をなす鍔部を設けて鞘本体部を形成し、この鞘本体部の一端をスプーン状に広げて、種芋の植付部を形成したことを特徴とする自然薯栽培用ガイド鞘。
【請求項２】
鞘本体部がプラスチックで形成されていることを特徴とする請求項１記載の自然薯栽培用ガイド鞘。
【考案の詳細な説明】
【技術分野】
【０００１】
本考案は、自然薯栽培用ガイド鞘に関するものである。
【背景技術】
【０００２】
一般に天然の自然薯の収穫が減少してきているため、自然薯を栽培することが行なわれてきた。これは図４に示すように円筒状のプラスチックパイプ１に、その長手方向にスリット２を形成し、パイプ１の一端側を広げて種芋３の植付部４を形成した自然薯栽培用ガイド鞘５が使用されていた。この自然薯栽培用ガイド鞘５は図５および図６に示すように、スリット２を手で押し開いて内部に用土６を入れ、これを栽培地７に所定深さで掘った溝に、斜めに重ねて配置して、植付部４に種芋３を載せ、この上から覆土８を掛けて埋設していた。
【０００３】
しかしながら、従来の構造ではスリット２を手で押し開いて内部に用土６を入れなければならず、作業はスリット２を開く人と、用土６を詰める人の２人で作業しなければならなかった。また自然薯９を収穫する時もスリット２を手で押し開いて内部から取り出さなければならず２人で作業するため、極めて作業性が悪い問題があった。またプラスチックパイプ１の内径は、図６に示すように自然薯９の外径よりも大きく、土圧が加わらないため、収穫した自然薯９は、粘り気が少ない上に、パイプ内部で大きく曲がって成長し、長方形状の箱に梱包できず商品価値が低下する問題があった。
【考案の開示】
【考案が解決しようとする課題】
【０００４】
本考案は上記問題を改善し、一人で植え付けや収穫作業ができると共に、まっすぐに生長し、梱包が容易であると共に、粘り気があり味の良い自然薯を生産できる自然薯栽培用ガイド鞘を提供するものである。
【課題を解決するための手段】
【０００５】
本考案の請求項１記載の自然薯栽培用ガイド鞘は、半割パイプの長手方向に沿った両縁部に、断面が円弧状をなす鍔部を設けて鞘本体部を形成し、この鞘本体部の一端をスプーン状に広げて、種芋の植付部を形成したことを特徴とするものである。
【０００６】
本考案の請求項２記載の自然薯栽培用ガイド鞘は、請求項１において鞘本体部がプラスチックで形成されていることを特徴とするものである。
【考案の効果】
【０００７】
本考案に係る請求項１記載の自然薯栽培用ガイド鞘によれば、上部が開口した半割パイプ内に山砂などの用土を詰め、これを栽培地に所定深さで掘った溝に斜めに重ねて配置してから、植付部に種芋を載せ、この上から覆土を掛けて埋設する。自然薯は、半割パイプの底面に沿って生長し、また鞘本体部は上部が開口しているので、重ねた状態で、上部の自然薯栽培用ガイド鞘の重量が加わって土圧が増すのでまっすぐに生長し、粘り気のある味の良い自然薯を生産することができる。またガイド鞘は上部が開口しているので、植付時の用土の詰め込み作業や、収穫作業を一人でも行なうことができ、作業性を大幅に向上させることができる。
【０００８】
また請求項２記載の自然薯栽培用ガイド鞘によれば、鞘本体部がプラスチックで形成されているので成形が容易で、耐久性にも優れている。
【考案を実施するための最良の形態】
【０００９】
以下本考案の実施の一形態を図１ないし図３を参照して詳細に説明する。図において１０は自然薯栽培用ガイド鞘を示すもので、これは例えば塩化ビニールなどのプラスチックで形成された半割パイプ１１の長手方向に沿った両縁部に、断面が円弧状をなす鍔部１２を設けて鞘本体部１３を形成し、この鞘本体部１３の一端をスプーン状に広げて、種芋３の植付部４を形成したものである。
【００１０】
この自然薯栽培用ガイド鞘１０は、上部から半割パイプ１１内に山砂などの用土６を入れ、これを図２に示すように栽培地７に所定深さで掘った溝に、斜めに重ねて配置し、植付部４に種芋３を載せ、この上から覆土８を掛けて埋設する。従って自然薯栽培用ガイド鞘１０は上部が開口しているので、用土６の詰め込みが容易で一人で作業することができる。このようにして６月上旬に植え付けて、１１月の下旬に収穫する。
【００１１】
この自然薯９の生長過程で、種芋３は地中に潜るように伸びて生長していく習性があるので、半割パイプ１１の底面に沿って生長し、上部が開口していても問題はない。また鞘本体部１３は上部が開口しているので、図３に示すように重ねた状態で、上部に配置した自然薯栽培用ガイド鞘１０の重量が加わって土圧が増すのでまっすぐに生長し、粘り気のある味の良い自然薯９を生産することができる。
【００１２】
また収穫する時も、覆土８を取り除くだけで、自然薯９は上部が開口した自然薯栽培用ガイド鞘１０内に生長しているので、直接を掘り起こして収穫することができ、順次自然薯栽培用ガイド鞘１０を取り除きながら、一人でも収穫作業を行なうことができ、作業性を大幅に向上させることができる。
【００１３】
なお上記説明では鞘本体部をプラスチックで形成した場合について示したが、メッキ鋼板で形成したものでも良い。
【図面の簡単な説明】
【００１４】
【図１】本考案の実施の一形態による自然薯栽培用ガイド鞘の斜視図である。
【図２】図１の自然薯栽培用ガイド鞘に種芋を植え付けて地中に埋設した状態を示す断面図である。
【図３】地中に埋設した自然薯栽培用ガイド鞘内で自然薯が生長している状態を示す断面図である。
【図４】従来のパイプで形成した自然薯栽培用ガイド鞘を示す斜視図である。
【図５】図４の自然薯栽培用ガイド鞘に種芋を植え付けて地中に埋設した状態を示す断面図である。
【図６】図５の地中に埋設した自然薯栽培用ガイド鞘内で自然薯が生長している状態を示す断面図である。
【符号の説明】
【００１５】
１    プラスチックパイプ                                    
２    スリット                                              
３    種芋                                                  
４    植付部                                                
５    自然薯栽培用ガイド鞘                                  
６    用土                                                  
７    栽培地                                                
８    覆土                                                  
９    自然薯                                                
１０  自然薯栽培用ガイド鞘                                  
１１  半割パイプ                                            
１２  鍔部                                                  
１３  鞘本体部  
【図１】
0003126649.tif 000003
【図２】
0003126649.tif 000004
【図３】
0003126649.tif 000005
【図４】
0003126649.tif 000006
【図５】
0003126649.tif 000007
【図６】
0003126649.tif 000008